(57)【要約】【課題】特定形式のファイルを記録する記録領域を備える記録媒体に特定形式のファイルを記録する。【解決手段】システムコントローラ１８は、メディアドライブ部１１が読み出したＣＤ６に記録されたデータのファイル形式を判断し、ファイルがＡＴＲＡＣ３ＰＬＵＳで圧縮されたＡＴＲＡＣファイルであるときには、読み出したファイルをＭＤプレーヤ２に転送する。一方、読み出したファイルがＷＡＶＥファイル若しくはＡＴＲＡＣ３ＰＬＵＳ以外の圧縮方式で圧縮されたＡＴＲＡＣファイルであるときには、エンコーダ１７がこれらのファイルＡＴＲＡＣ３ＰＬＵＳで圧縮する。システムコントローラ１８は、エンコーダ１７が生成したＡＴＲＡＣファイルをＭＤプレーヤ２に転送する。【選択図】図１
2005190566.tif 000002
【特許請求の範囲】
【請求項１】
第１の記録媒体に記録されたファイルを読み出す読出工程と、
上記第１の記録媒体に記録されたファイル形式を判断する判断工程と、
上記第１の記録媒体に記録されたファイル形式が特定形式である場合、上記ファイルを上記第２の記録媒体の特定領域に記録する記録工程と
を有することを特徴とするファイル記録方法。
【請求項２】
上記第２の記録媒体は、特定形式のファイルを記録する領域と、全ての形式のファイルを記録する領域とを備え、
上記第１の記録媒体に記録されたファイルの形式が特定形式でない場合、上記ファイルを上記全てのファイルを記録する領域に記録すること
を特徴とする請求項１記載のファイル記録方法。
【請求項３】
上記第１の記録媒体を再生する第１の再生装置が上記第２の記録媒体を再生する第２の再生装置に対して上記特定形式を問い合わせる形式問合工程を有する
ことを特徴とする請求項１記載のファイル記録方法。
【請求項４】
上記特定形式は、上記第２の再生装置で再生可能な形式であることを特徴とする請求項３記載のファイル記録方法。
【請求項５】
上記第１の記録媒体に上記特定形式でないファイルが記録されている場合、上記特定形式でないファイルを上記特定形式に変換する形式変換工程を有する
ことを特徴とする請求項１記載のファイル記録方法。
【請求項６】
上記特定形式のファイルは、ＡＴＲＡＣファイルであることを特徴とする請求項１記載のファイル記録方法。
【請求項７】
第１の記録媒体に記録されたデータを再生する再生装置であって、
特定形式のファイルを記録する領域と、全ての形式のファイルを記録する領域とを備える第２の記録媒体にファイルを記録する記録装置に対してファイルを出力する出力手段と、
上記出力しようとするファイルの形式が上記特定形式であるか否かを判断する判断手段と、
上記出力するファイルの形式が上記特定形式である場合、上記記録装置に対するファイル出力を開始し、上記出力しようとするファイルの形式が上記特定形式でない場合、上記記録装置に対するファイルの出力をしないよう制御する出力制御手段と
を備えることを特徴とする再生装置。
【請求項８】
上記記録装置に対して上記特定形式を問い合わせる形式問合手段を備えることを特徴とする請求項７記載の再生装置。
【請求項９】
上記特定形式は、ＡＴＲＡＣであることを特徴とする請求項７記載の再生装置。
【請求項１０】
特定形式のファイルを記録する記録領域と、全ての形式のファイルを記録する記録領域とを備える記録媒体にファイルを記録する記録装置であって、
ファイルを入力する入力手段と、
上記入力したファイル形式が上記特定形式であるか否かを判断する判断手段と、
上記入力したファイルが特定形式である場合、上記入力したファイルを上記特定形式のファイルを記録する記録領域に記録し、上記入力したファイルが特定形式でない場合、上記入力したファイルを上記全ての形式のファイルを記録する記録領域に記録する記録制御手段と
を備えることを特徴とする記録装置。
【請求項１１】
上記特定形式は、ＡＴＲＡＣであることを特徴とする請求項１０記載の記録装置。
【発明の詳細な説明】
【技術分野】
【０００１】
本発明は、特定形式のファイルを記録する領域を有する記録媒体にファイルを記録するファイル記録方法及び記録装置、並びに特定形式のファイルを記録する領域を有する記録媒体を適用した記録装置にファイルを出力する再生装置に関する。
【背景技術】
【０００２】
近年、大容量化のための技術が各種開発されている。１つのメディアについて多様なデータ、例えば、オーディオデータ、コンピュータ用途のデータ等を自在に記録再生できるようにすることも求められている。しかし、汎用メディアの開発に関しては、旧来の記録再生装置等の互換性、整合性も重要とされる。また、物理的にみても、旧来の資産を有効利用できることが好ましい。
【０００３】
現在広く普及しているミニディスク（Mini Disc；ＭＤ（登録商標））を例にあげる。ミニディスクは、公知のとおり、直径６４ｍｍの光磁気ディスクであって、音楽等のオーディオデータを記録再生できる。ミニディスクでは、オーディオデータは、ＡＴＲＡＣ方式によってデータ量が１／５〜１／１０に圧縮されて記録される。オーディオデータを例にとると、８０〜１６０分程度の記録が可能となっている。
【０００４】
オーディオ用のミニディスクは、ユーザが容易に入手可能であることから、ミニディスクをコンピュータ用のデータストレージメディア等、音楽用途以外に利用できるようになると都合がよいのであるが、記録容量が１６０ＭＢ程度と小さく、広範囲なデータストレージとして、音楽・映像配信等への利用等を想定した場合、配信データの格納等において必要とされるメディア固有のＩＤ等といった著作権保護情報を記録する領域がないため、著作権保護等の要請に対応できない等の問題点がある。また、オーディオデータ記録領域以外の固有の管理領域による管理方式（ＰＴＯＣ、ＵＴＯＣ）を採用しているため、例えば、ＦＡＴシステム等の汎用のファイルシステム用途への対応が困難である。更に、ＵＴＯＣ管理下のトラックにオーディオ以外のデータを記録した場合、多くのオーディオ機器（ＭＤプレーヤ）で再生時に異音が発生する等の不具合が生じてしまう。つまり、オーディオ用ミニディスクを汎用的なストレージメディアとして利用することを想定した場合、記録容量、管理システム、著作権保護関係等の特殊情報、旧来機種での不具合等が問題になっていた。
【０００５】
ミニディスクシステムにおいてオーディオデータ以外のデータ記録を目的とした規格として、“ＭＤ−ＤＡＴＡ”、又は“ＭＤ−ＣＬＩＰ”と呼ばれるディスク規格が既に開発されているが、ＭＤ−ＤＡＴＡは、オーディオ用ＭＤとは異なる専用ディスクである点、また、ＭＤ−ＤＡＴＡ対応の専用の記録再生装置でないと利用できない点、記録容量が１４０ＭＢ程度である点等、上記要望を満たすものではない。また、ＭＤ−ＣＬＩＰは、オーディオ用ＭＤが使用でき、またＵＴＯＣ管理対象外であった内周部分を利用することから、従来のオーディオ機器において不都合はないが、汎用データ記録領域が２ＭＢ程度しかないために自ずと用途が限定されてしまっていた。
【０００６】
そこで、トラックピッチを狭くし、線速度及び変調方式を変更する等の改良を加えることで記録データの高密度化を実現し、更に、通常の記録領域に加えて認証によって使用可能となる秘匿領域（セキュア領域）を設けることによって、上述の不具合を解決した次世代ミニディスクが提案されている。次世代ミニディスク（次世代ＭＤ）では、著作権が発生する音楽コンテンツ、映像コンテンツ等のデータは、所定フォーマットでセキュア領域に記録され、セキュア領域を参照可能な装置によってのみ再生できるようになっている。
【０００７】
このように、次世代ＭＤでは、従来ＭＤと異なり、データ種類を選ばないため、ＷＭＡファイル、ＭＰ３ファイル、ＷＡＶＥファイルなどを記録することも可能である。しかしながら、これらのファイルを次世代ＭＤに記録できたとすると、セキュア領域を用意して、ここに記録されるデータの著作権保護を実現したにも関わらず、他のファイル形式に基づく音楽ファイルが保護できないデータとして扱われてしまうことが問題であった。
【０００８】
【特許文献１】特開２００１−２８９３８０号公報
【発明の開示】
【発明が解決しようとする課題】
【０００９】
本発明は、上述した課題に鑑みてなされたものであり、特定形式のファイルを記録する記録領域を備える記録媒体に特定形式のファイルを記録するファイル記録方法及び記録装置、並びに記録装置にファイルを出力する再生装置を提供することを目的とする。
【課題を解決するための手段】
【００１０】
本発明にかかるファイル記録方法は、読出工程において第１の記録媒体に記録されたファイルを読み出し、判断工程において読み出したファイルのファイル形式を判断する。そして、ファイル形式が特定形式である場合、特定の記録領域に当該ファイルを記録し、特定のファイルでない場合、全てのファイルを記録する領域に当該ファイルを記録する。
【００１１】
また、本発明にかかる再生装置は、判断手段によって第１の記録媒体に記録されたファイルが特定形式であるか否かを判断し、出力制御手段によって特定形式のファイルのみを記録装置に出力する制御を行う。
【００１２】
更に、本発明にかかる記録装置は、判断手段によって入力手段が入力したファイルが特定形式であるか否かを判断し、記録制御手段は判断手段の判断結果が特定のファイル形式である場合には特定形式のファイルを記録する記録領域に当該ファイルを記録し、特定のファイル形式でない場合には全てのファイルを記録する記録領域に当該ファイルを記録する。
【発明の効果】
【００１３】
本発明にかかるファイル記録方法、再生装置、記録装置によれば、特定フォーマットのファイルと、それ以外のフォーマットに基づくファイルとを区別して記録することができる。特に、特定の記録領域を著作権が保護された領域とした場合、音楽コンテンツ及び映像コンテンツなどのなかでも著作権が絡むコンテンツを扱う際に著作権保護が実現できる。
【発明を実施するための最良の形態】
【００１４】
本具体例では、記録媒体として、ＭＤ（ミニディスク；登録商標）方式の記録媒体に適用した場合に関して説明する。本発明の具体例として示すＭＤプレーヤは、異なるフォーマットで作成された複数の異なるデータ及び画像データを含むコンテンツデータをＭＤに記録する記録装置である。このＭＤプレーヤによって再生可能なＭＤは、例えば、オーディオデータ、ＰＣデータ等のように異なるフォーマットで作成されたデータを扱うことができ、認証によって使用可能となる秘匿領域と、認証することなく使用可能な通常記録領域とを有する。秘匿領域は、著作権が発生する音楽コンテンツ、映像コンテンツ等の特定のデータのみが記録できる領域であって、本具体例では、ＡＴＲＡＣ（登録商標）形式のオーディオデータは、この秘匿領域に記録可能な特定データとして扱われる。ＭＰ３（MPEG1 Audio Layer-3）形式、ＷＭＡ（Windows Media Audio）形式等、ＡＴＲＡＣ以外のオーディオデータ、画像データ、テキストデータ等のデータは、通常記録領域に記録される。秘匿領域と通常記録領域とを有するミニディスクの詳細については、後述する。
【００１５】
本発明を適用したＣＤプレーヤ１及びＭＤプレーヤ２について図１を用いて説明する。図１に示すＣＤプレーヤ１及びＭＤプレーヤ２は携帯型のプレーヤである。ＣＤプレーヤ１及びＭＤプレーヤ２の側面にはＵＳＢハブ４，５が設けられており、ＵＳＢケーブル３で接続されている。
【００１６】
ＣＤプレーヤ１は、音楽ＣＤとして市販されているＣＤ−ＤＡはもちろんのこと、ＣＤ−Ｒ、ＣＤ−ＲＷなどの他のＣＤファミリを再生するマルチディスクドライバである。ＣＤファミリは、外観は略同じであるが、図２に示すように、異なる形式のファイルを記録している。例えば、ＣＤ−ＤＡは、ＰＣＭ系のＷＡＶＥファイルが記録されている。ＣＤ−ＲやＣＤ−ＲＷは、全ての形式のファイルを記録することができる。ＡＴＲＡＣ−ＣＤは、ＡＴＲＡＣファイルを記録している。ＣＤプレーヤ１は、どのディスクに記録された情報であっても読み出すことができる。
【００１７】
図３は、ＣＤプレーヤ１の内部構成を示すブロック図である。ＣＤプレーヤ１は、光ディスク６を回転させ光学的に記録された情報を読み出すメディアドライブ部１１、メディアドライブ部１１が読出したデータにＣＤのデコードをかけるＣＤデコーダ１２、データの信頼性を向上させるための誤り訂正を施すＣＤ−ＲＯＭデコーダ１３、データ転送を制御するメモリ転送コントローラ１４、ＵＳＢを介した信号の入出力を制御するＵＳＢインターフェース１５、メディアドライブ部１１を制御するメカニカルコントローラ１６、ＷＡＶＥファイルをＡＴＲＡＣファイルに変換するエンコーダ１７、ＣＤプレーヤ全体を制御するシステムコントローラ１８を備える。
【００１８】
システムコントローラ１８は、ＣＤプレーヤ１の統括的な制御と、ファイルの転送制御とを行う。ファイルの転送制御は、ＭＤプレーヤ２が再生できるファイルのみをＭＤプレーヤ２に転送する処理である。
【００１９】
システムコントローラ１８は、ファイルの転送制御において、まず、ファイルの種類を判断し、次いで、このファイルがＭＤプレーヤ２で再生することができるかどうかを判断する。ファイルの種類は、ファイルの拡張子から判断することができる。ファイルの拡張子は、ファイルの種類を文字符号で、ピリオドの後３〜４文字に相当する。ファイルの拡張子は、ディスクのボリュームディスクリプタに記述されている。
【００２０】
システムコントローラ１８は、ＭＤプレーヤ２に対して再生できるファイルを問い合わせる。ＭＤプレーヤ２が再生できるファイルは、ＡＴＲＡＣファイルである。システムコントローラは、読み出したファイルがＡＴＲＡＣファイルであるとき、メモリ転送コントローラ１４にファイルの転送を指示する。
【００２１】
システムコントローラ１８は、読み出したファイルの形式がＷＡＶＥファイルであるとき、このファイルをエンコーダ１７に出力する。エンコーダは、ＷＡＶＥファイルにＡＴＲＡＣ圧縮を施し、ＡＴＲＡＣファイルを生成する。システムコントローラ１８は、メモリ転送コントローラ１４に対して指示信号を出力し、生成したファイルをＣＤプレーヤ１に転送させる。
【００２２】
エンコーダ１７は、ＡＴＲＡＣからＡＴＲＡＣ３ＰＬＵＳへの変換も行う。読み出したファイルの圧縮形式がＡＴＲＡＣであるとき、システムコントローラ１８は、このファイルをエンコーダ１７に出力する。エンコーダ１７は、ＡＴＲＡＣをＡＴＲＡＣ３ＰＬＵＳに変換する。
【００２３】
メモリ転送コントローラ１４は、例えば、ＤＭＡコントローラであり、図示しないバッファに格納されたデータをＵＳＢインターフェース１５に出力する。ＵＳＢインターフェース１５に出力されたデータは、ＵＳＢケーブル３を経由して、ＭＤプレーヤ２に転送される。
【００２４】
ＭＤプレーヤ２は、次世代ＭＤの記録及び再生を行う。図４は、ＭＤプレーヤ２の構成を示している。ＭＤプレーヤ２は、ＵＳＢケーブル３を介した信号のやり取りを制御するＵＳＢインターフェース２１、ＵＳＢケーブル３を介したデータ転送を制御するメモリ転送コントローラ２２、入力したデータを次世代ＭＤの記録形式に変換するエンコーダ２３、エンコードされたデータを元の状態に戻すデコーダ２４、物理アドレスを演算するアドレスデコーダ２５、光学的な情報の読取及び記録を行うメディアドライブ部２６、メディアドライブ部２６を制御するメカニカルコントローラ２７、ＭＤプレーヤ２全体を制御するシステムコントローラ２８とを備える。
【００２５】
次世代ＭＤは、ＭＤの拡張ディスクであり、音楽ファイル以外のデータが記録できるようになっている。次世代ＭＤのフォーマットは、図５に示すように、ＭＤプレーヤ２が再生可能なファイルを格納するセキュアエリア９０と、それ以外のデータを格納するエリア９１とを設けている。
【００２６】
セキュアエリア９０には、ＡＴＲＡＣファイルを記録することができる。このセキュアエリア９０を構成するクラスタには、公開可・不可という属性と著作権保護のための情報、データ改竄チェックのための情報等が記録されている。この公開不可領域は、特別に許可された特定外部機器のみが限定的にアクセスできるようになっており、このアクセス可能な外部機器を認証する情報も含まれる。
【００２７】
また、セキュアエリア９０以外のデータ記録エリアは、ＦＡＴエリア９１と呼ばれ、パーソナルコンピュータのファイルシステムで管理されている。ＦＡＴエリア９１は、音楽ファイルを含む全ての種類のデータを格納することができる。
【００２８】
システムコントローラ２８は、次世代ＭＤフォーマットに従い論理アドレスを計算し、アドレスデコーダ２５に出力する。アドレスデコーダ２５は、論理アドレスに対応する物理的アドレスを算出し、メカニカルコントローラ２７に出力する。
【００２９】
メディアドライブ部２６は、メカニカルコントローラ２７からの指示に応じてディスク６を回転し、光ヘッドの位置とレーザ強度を調整する。メディアドライブ部２６は、マグネットヘッドの磁化方向を変化させてデータを記録する。
【００３０】
また、メディアドライブ部２６は、次世代ＭＤ８に記録されたデータを光学的に読み出す。メディアドライブ部２６は、データの読み出し時には、ディスクにレーザ光を照射し、その反射光をデジタル化した値をデコーダ２３に出力する。デコーダ２３は、次世代ＭＤ８に記録されたデータを元の状態にデコードする。
【００３１】
デコードされたデータは、バッファに格納される。バッファに格納されたデータは、メモリ転送コントローラ２２により外部の電子機器に出力されたり、再生部２９により音楽として再生されたりする。
【００３２】
次いで、図６を参照して上述したＣＤプレーヤ１及びＭＤプレーヤ２の動作を説明する。ユーザがＣＤプレーヤ１からＭＤプレーヤ２へのファイルの転送を指示すると、ＣＤプレーヤ１は、まず、ＭＤプレーヤ２が再生可能なファイル形式を問い合わせる（ステップＳ１１）。ＭＤプレーヤ２は、ＣＤプレーヤ１の問い合わせに対して再生可能なファイル形式（ここでは、ＡＴＲＡＣファイル）を応答する（ステップＳ１２）。
【００３３】
次いで、ＣＤプレーヤ１は、ディスク６を回転して転送するディスク６に記録された情報を読み出す（ステップＳ１３）。システムコントローラ１８は、ディスク６のボリュームディスクリプタなどに記述されたファイルの拡張子を基にファイルの種類を判断する（ステップＳ１４）。
【００３４】
システムコントローラ１８は、読み出したファイルの形式がＡＴＲＡＣ３ＰＬＵＳで圧縮されたＡＴＲＡＣファイルであるとき（ステップＳ１５；ＹＥＳ）、メモリ転送コントローラ１４に指示信号を出力する。メモリ転送コントローラ１４は、この指示に応じて、ＭＤプレーヤ２にファイルを転送する（ステップＳ１６）。
【００３５】
一方、読み出したファイルがＷＡＶＥファイルであった場合（ステップＳ１７；ＹＥＳ）、システムコントローラ１８は、このファイルをエンコーダ１７に出力し、エンコーダ１７はこのファイルをＡＴＲＡＣ３ＰＬＵＳで圧縮する（ステップＳ１８）。また、読み出したファイルがＡＴＲＡＣ若しくはＡＴＲＡＣ３で圧縮されている場合（ステップＳ１９；ＹＥＳ）、システムコントローラ１８は、このファイルをエンコーダ１７に出力し、ＡＴＲＡＣ３ＰＬＵＳで圧縮する（ステップＳ２０）。
【００３６】
システムコントローラ１８は、エンコーダがファイルを圧縮すると、メモリ転送コントローラ１４に指示信号を出力する。メモリ転送コントローラ１４は、エンコーダ１８が圧縮したファイルをＭＤプレーヤ２に転送する（ステップＳ１６）。
【００３７】
読み出したファイルがＡＴＲＡＣファイル及びＷＡＶＥファイル以外のファイルであるとき（ステップＳ１９；ＮＯ）、システムコントローラ１８は、ファイルの転送を中断し、ファイル形式の不整合を示すメッセージを表示画面に出力する（ステップＳ２１）。
【００３８】
ＭＤプレーヤ２は、データを入力すると、このデータを次世代ＭＤのセキュアエリア９０に記録する（ステップＳ２２）。セキュアエリア９０に記録されたデータは、ＭＤプレーヤ２で再生することができる。
【００３９】
上述したように、ＣＤプレーヤ１は、ＣＤ−ＲやＣＤ−ＲＯＭなどのＣＤファミリに属する複数のディスクを再生する。このディスクには、ＷＭＡファイルやＭＰ３ファイルなどの、ＭＤプレーヤ２で再生できない形式のファイルも記録される。
【００４０】
ＭＤプレーヤ２で再生できない形式のファイルを記録すると、ユーザを混乱させてしまうおそれがあるため、ＣＤプレーヤ１は、ＭＤプレーヤ２が再生できないファイルを転送しない。これにより、ＭＤプレーヤ２には、ＭＤプレーヤ２が再生可能なファイル（ＡＴＲＡＣファイル）しか記録されない。
【００４１】
また、ＣＤプレーヤ１は、エンコーダを備えており、ＭＤプレーヤで再生できないファイルであっても、ＭＤプレーヤで再生できる形式に変換して転送する。
【００４２】
次いで、実施例２を説明する。実施例２では、ＭＤプレーヤ７がファイルの記録領域を選別する。図７は、実施例２におけるＭＤプレーヤ７の内部構成を示している。ＭＤプレーヤ７は、ＵＳＢを介した信号のやり取りを行うＵＳＢインターフェース７１、ＵＳＢを介したデータ転送を制御するメモリ転送コントローラ７２、光学的な情報の読取及び記録を行うメディアドライブ部７６、メディアドライブ部７６を制御するメカニカルコントローラ７７、入力したデータをＡＴＲＡＣファイルに変換するＡＴＲＡＣエンコーダ７３、ＡＴＲＡＣファイルのデコードを行うＡＴＲＡＣデコーダ７４、物理アドレスを演算するアドレスＡＴＲＡＣデコーダ７５、ＭＤプレーヤ全体を制御するシステムコントローラ７８を備える。
【００４３】
ＵＳＢインターフェース７１は、図１に示したように、ＣＤプレーヤ１に接続されている。ＣＤプレーヤ１は、ディスク６から読み出したデータをＭＤプレーヤ７に転送する。実施例２におけるＣＤプレーヤ１は、転送するファイルを制御しない。ＭＤプレーヤ７は、ＭＤプレーヤ７が再生できない形式のファイルも入力する。
【００４４】
システムコントローラ７８は、ファイルの記録領域を決定する。図５に示すように、次世代ＭＤフォーマットでは、ＭＤプレーヤが再生可能なファイルを格納するセキュアエリア９０と、全ての形式のファイルを格納することができるＦＡＴエリア９１とがある。システムコントローラ７８は、ＣＤプレーヤ１から転送されたファイルの形式を基にどちらのエリアにファイルを記録するかを決定する。
【００４５】
ＭＤプレーヤ７で再生することができるファイルには、ＡＴＲＡＣファイルがある。システムコントローラ７８は、ＣＤプレーヤ１から転送されたファイルがＡＴＲＡＣファイルである場合には、セキュアエリア９０の空き領域を検索し、空き領域の論理アドレスをアドレスＡＴＲＡＣデコーダ７５に出力する。
【００４６】
一方、ＣＤプレーヤ１から転送されたファイルの形式がＭＤプレーヤ７で再生することができない形式である場合、システムコントローラ１は、ＦＡＴエリア９１の空き領域を検索し、空き領域の論理アドレスをアドレスＡＴＲＡＣデコーダ７５に出力する。
【００４７】
また、ＣＤプレーヤ１から転送されたファイルがＷＡＶＥファイルであるとき、システムコントローラ７５は、このファイルをＡＴＲＡＣエンコーダ７３に出力する。ＡＴＲＡＣエンコーダ７３は、ＷＡＶＥファイルをＡＴＲＡＣ３ＰＬＵＳで圧縮してＡＴＲＡＣファイルを生成する。
【００４８】
更に、ＣＤプレーヤ１から転送されたファイルがＡＴＲＡＣ１又はＡＴＲＡＣ３で圧縮されているとき、システムコントローラ７５は、このファイルをＡＴＲＡＣエンコーダ７３に出力する。ＡＴＲＡＣエンコーダ７３は、入力したファイルをＡＴＲＡＣ３ＰＬＵＳで圧縮してＡＴＲＡＣファイルを生成する。システムコントローラ７８は、セキュアエリア９０の空き領域を検索し、空き領域の論理アドレスを算出してアドレスＡＴＲＡＣデコーダ７５に出力する。
【００４９】
アドレスＡＴＲＡＣデコーダ７５は、システムコントローラ７８から入力した論理アドレスに対応する物理アドレスを算出する。メカに各コントローラ７７は、アドレスＡＴＲＡＣデコーダ７５が算出した物理アドレスに対応する位置に光ヘッドを移動させ、次世代ＭＤ９に情報を記録する。
【００５０】
次いで、図８を参照して上述したＭＤプレーヤ７の動作を説明する。ＣＤプレーヤ１からファイルを入力すると（ステップＳ３１）、システムコントローラ７８は、入力したファイルの形式を判断する（ステップＳ３２）。ファイルの形式は、ファイルの拡張子から判断することができる。
【００５１】
システムコントローラ７８は、入力したファイルの形式がＡＴＲＡＣ３ＰＬＵＳで圧縮されたＡＴＲＡＣファイルであるとき（ステップＳ３３；ＹＥＳ）、このファイルをセキュアエリア９０に記録させる（ステップＳ３４）。
【００５２】
一方、入力したファイルがＷＡＶＥファイルであった場合（ステップＳ３５；ＹＥＳ）、システムコントローラ７８はこのファイルをＡＴＲＡＣエンコーダ７３に出力する。ＡＴＲＡＣエンコーダ７３は、このファイルをＡＴＲＡＣ３ＰＬＵＳで圧縮する（ステップＳ３６）。システムコントローラは、ＡＴＲＡＣエンコーダ７３が生成したＡＴＲＡＣファイルをセキュアエリア９０に記録させる（ステップＳ３４）。
【００５３】
また、入力したファイルがＡＴＲＡＣ若しくはＡＴＲＡＣ３で圧縮されている場合（ステップＳ３７；ＹＥＳ）、システムファイルは、このファイルをＡＴＲＡＣエンコーダ７３に出力する。ＡＴＲＡＣエンコーダ７３は、このファイルをＡＴＲＡＣ３ＰＬＵＳで圧縮する（ステップＳ３８）。システムコントローラ７８は、ＡＴＲＡＣエンコーダ７５が圧縮したファイルをセキュアエリア９０に記録する（ステップＳ３４）。
【００５４】
読み出したファイルがＡＴＲＡＣファイル及びＷＡＶＥファイル以外のファイルであるとき（ステップＳ３７；ＮＯ）、システムコントローラ７８は、このファイルをＦＡＴエリア９１に記憶させる（ステップＳ３９）。
【００５５】
上述したように、実施例２におけるＭＤプレーヤ７は、入力したファイルが再生できる形式か再生できない形式かを判断し、再生できる形式であるファイルをセキュアエリア９０に記録し、再生できない形式であるファイルをＦＡＴエリア９１に記録する。
【００５６】
また、実施例２におけるＭＤプレーヤ７は、再生できない形式のファイルを再生できる形式のファイルに変換して、セキュアエリア９０に記録する。
【産業上の利用可能性】
【００５７】
本発明は、次世代ＭＤに記録するファイルとして音楽ファイルについて説明したが、音楽ファイルに限らず、静止画ファイルや動画ファイルも適用することができる。例えば、ＭＤプレーヤに表示画面を設け、この画面に表示できる形式のファイルだけをセキュアエリアに記録する。
【００５８】
また、上記実施例では、ポータブル機器をＵＳＢで接続する構成にしたが、コンポーネントシステムのようにＣＤプレーヤと、ＭＤプレーヤが一体となった機器にも本発明を適用することができる。
【００５９】
更に、転送元の記録メディアをＣＤとして説明したが、ＣＤ以外の記録メディアである。フラッシュメモリ、ＤＶＤなどを転送元の記録メディアとしてもよい。
【図面の簡単な説明】
【００６０】
【図１】本発明を適用したＣＤプレーヤ及びＭＤプレーヤの外観を示す図である。
【図２】ＣＤファミリに記録されるファイルの例を示す概念図である。
【図３】実施例１におけるＣＤプレーヤの構成を示すブロック図である。
【図４】実施例１におけるＭＤプレーヤの構成を示すブロック図である。
【図５】次世代ＭＤフォーマットの構成を示す図である。
【図６】実施例１におけるＣＤプレーヤ及びＭＤプレーヤの動作を示すフローチャートである。
【図７】実施例２におけるＭＤプレーヤの構成を示すブロック図である。
【図８】実施例２におけるＭＤプレーヤの動作を示すフローチャートである。
【符号の説明】
【００６１】
１  ＣＤプレーヤ、２  ＭＤプレーヤ、３  ＵＳＢケーブル、４  ＵＳＢハブ、５  ＵＳＢハブ、６  ＣＤ、８  次世代ＭＤ１１  メディアドライブ部、１２  ＣＤデコーダ、１３  ＣＤ−ＲＯＭデコーダ、１４  メモリ転送コントローラ、１５  ＵＳＢインターフェース、１６  メカニカルコントローラ、１７  エンコーダ、１８  システムコントローラ、２１  ＵＳＢインターフェース、２２  メモリ転送コントローラ、２３  エンコーダ、２４  デコーダ、２５  アドレスデコーダ、２６  メディアドライブ部、２７  メカニカルコントローラ、２８  システムコントローラ、２９  再生部、７３  ＡＴＲＡＣエンコーダ、ＡＴＲＡＣデコーダ、９０  セキュアエリア、９１  ＦＡＴエリア
【図１】
2005190566.tif 000003
【図２】
2005190566.tif 000004
【図３】
2005190566.tif 000005
【図４】
2005190566.tif 000006
【図５】
2005190566.tif 000007
【図６】
2005190566.tif 000008
【図７】
2005190566.tif 000009
【図８】
2005190566.tif 000010